(57)【要約】【課題】  画像形成装置においてユーザが目的とする多様な印刷設定を行うためには、設定操作に多くの操作が必要であり、時間を要していた。また、設定誤りなどによって、目的とする成果物とは違う出力をしてしまうような操作ミスが発生することもしばしばあった。【解決手段】  原稿の様態と置き方と成果物のイメージを画面上に視覚的に生成し、それらのイメージの中から１つを選択することで、目的とする成果物の印刷設定を簡便に完了させることができる。【選択図】図５
2019114918.tif 000002
【特許請求の範囲】
【請求項１】
原稿に関する情報をイメージとして表す原稿イメージと、成果物に関する情報をイメージとして表す成果物イメージと、を含むジョブイメージを表示するイメージ表示手段と、
前記表示されたジョブイメージの持つジョブ設定に基づき、所望の成果物の取得に必要なジョブの設定を行う設定手段と、
を有することを特徴とする画像形成装置。
【請求項２】
前記原稿イメージは、原稿の様態および置き方に関するイメージであり、前記成果物イメージは、成果物の様態に関するイメージであることを特徴とする請求項１に記載の画像形成装置。
【請求項３】
前記イメージ表示手段が、前記ジョブイメージを複数表示すると共に、前記設定手段は、表示された前記複数のジョブイメージのうちの選択された１つのジョブイメージの持つジョブ設定に基づいて前記ジョブの設定を行うことを特徴とする請求項１または２に記載の画像形成装置。
【請求項４】
前記ジョブイメージが、印刷用紙の置き方をイメージとして表す用紙イメージをさらに含むことを特徴とする請求項１から３のいずれか１項に記載の画像形成装置。
【請求項５】
前記イメージ表示機能は、前記複数のジョブイメージのうちの１つ以上をプリセットボタンとして表示する機能をさらに有することを特徴とする請求項１から４のいずれか１項に記載の画像形成装置。
【請求項６】
原稿に関する情報をイメージとして表す原稿イメージと、成果物に関する情報をイメージとして表す成果物イメージと、を含むジョブイメージを表示するイメージ表示工程と、
前記表示されたジョブイメージの持つジョブ設定に基づき、所望の成果物の取得に必要なジョブの設定を行う設定工程と、
を有することを特徴とする画像形成装置の制御方法。
【請求項７】
請求項６の画像形成装置の制御方法をコンピュータにより実行させるためのプログラム。
【発明の詳細な説明】
【技術分野】
【０００１】
本発明は、画像形成装置の制御方法に関するものである。
【背景技術】
【０００２】
近年の画像形成装置は、目的の成果物を得るための、多様なジョブ設定を行うことができる。例えば、カラー／白黒設定、ステイプル設定、製本設定、ページ集約設定、両面設定などがある。ユーザはこれらの機能を組み合わせて設定し、目的の成果物を得る。
【０００３】
しかし、このように多様な設定を行うためには、多数のメニュー画面を行ったり来たりするなどが必要となり、設定操作に多くの時間がかかっていた。また、設定忘れなどによる、目的の成果物とは違う出力をしてしまうような操作ミスが発生することがあった。
【０００４】
一方、このような複数のジョブ設定をひとまとめにして、プリセットされたボタンを用意する機能をもつ装置がある。ユーザはプリセットされたボタンを押下するだけで、目的のジョブ設定を完了させることができる（例えば特許文献１）。
【先行技術文献】
【特許文献】
【０００５】
【特許文献１】特開２００６−２０９５１２号公報
【発明の概要】
【発明が解決しようとする課題】
【０００６】
しかし、先行技術には以下のような課題がある。すなわち、プリセットするためには、結局必要なジョブ設定をすべて行う必要がある。また、コピー機能のジョブ設定には、原稿の置き方が設定に影響が出るものがある。
また、先行技術では最終的な成果物のイメージを簡潔に把握することができないため、ジョブ設定を行う際に、原稿の置き方を含めて考える必要がある。想定された原稿の置き方を誤ると目的の成果物が得られず、また、所望の成果物を得るために、ジョブ設定に試行錯誤を要することもある。
【課題を解決するための手段】
【０００７】
本発明は、原稿に関する情報をイメージとして表す原稿イメージと、成果物に関する情報をイメージとして表す成果物イメージと、を含むジョブイメージを表示するイメージ表示手段と、前記表示されたジョブイメージの持つジョブ設定に基づき、所望の成果物の取得に必要なジョブの設定を行う設定手段と、を有することを特徴とする画像形成装置である。
【発明の効果】
【０００８】
本発明では、画面上で成果物が表示されたイメージを選択するという操作のみで目的の成果物を得るためのすべてのジョブ設定を行うことができる。さらにイメージに表示された原稿の置き方で正しい原稿設置方法も誘導されるため、目的とする成果物を得るための操作のミスを低減させることができる。
【図面の簡単な説明】
【０００９】
【図１】本発明の画像形成装置のハードウェアブロック図
【図２】本発明のシステム構成図
【図３】本発明の画像形成装置の機能ブロック図
【図４】本発明の画像形成装置で表示される画面の例
【図５】本発明の画像形成装置で表示される画面の例
【図６】本発明の画像形成装置で表示される画面の例
【図７】本発明の処理を表すフローチャート
【図８】本発明の画像形成装置で表示される画面の例
【図９】本発明の画像形成装置で表示される画面の例
【図１０】本発明の処理を表すフローチャート
【図１１】本発明の処理を表すフローチャート
【図１２】本発明の画像形成装置で表示される画面の例
【発明を実施するための形態】
【００１０】
以下、本発明を実施するための最良の形態について図面を用いて説明する。
【００１１】
図１において、コントローラユニット１００は画像形成装置の制御を行う装置である。
ＣＰＵ１０１はシステム全体を制御するための演算装置である。システムバス１１１には、ＣＰＵ１０１、ＲＡＭ１０２、ＲＯＭ１０３、ＨＤＤ１０４、操作部Ｉ／Ｆ１０５、デバイスＩ／Ｆ１０７、ネットワークＩ／Ｆ１１０、ＵＳＢＩ／Ｆ１１２が接続される。
ＣＰＵ１０１は、システムバス１１１に接続された各装置を統括的に制御する。ＲＡＭ１０２は、ＣＰＵ１０１が動作するためのシステムワークメモリであり、画像データを一時記憶するための画像メモリである。また、ＲＡＭ１０２には、オペレーティングシステムやシステムソフトウェア、アプリケーショソフトウェアなどのプログラムやデータも配置される。ＲＯＭ１０３は、システムのブートプログラムを格納する。また、ＲＯＭ１０３には、システムプログラムやアプリケーションプログラムが格納される場合や、フォントなど画像形成装置に必要な情報が格納される場合もある。ＨＤＤ１０４は、ハードディスクドライブで、オペレーティングシステム、システムソフトウェア、アプリケーションソフトウェア、文書データ、画像データ、設定データ等を格納する。
ＲＡＭ１０２に格納されたプログラムは、ＣＰＵ１０１によって実行され、ＲＡＭ１０２、ＲＯＭ１０３やＨＤＤ１０４に格納された画像データや画像以外のデータを処理する。また、小型の画像形成装置では、ＨＤＤ１０４を搭載せずにシステムソフトウェア、アプリケーションソフトウェア等をＲＯＭ１０３に格納する、ハードディスクレスの構成もある。あるいは、ＨＤＤ１０４の代わりに、ＳＳＤ（Solid State Disk）などフラッシュメモリのようなハードディスク以外の記憶装置を用いた構成でも構わない。
【００１２】
操作部Ｉ／Ｆ１０５は、操作部１０６と接続されている。操作部１０６は、画像形成装置の状態を通知し、ユーザからの操作を受け取るタッチパネルなどの表示装置や、画像形成装置に指示を与えるための操作ボタンなどの画像形成装置を操作するための装置である。デバイスＩ／Ｆ１０７は、画像入出力デバイスであるスキャナ１０８やプリンタ１０９とコントローラユニット１００を接続し、画像データの入力や出力を行う。
スキャナ１０８からデバイスＩ／Ｆ１０７を介して入力された画像データは、ＲＡＭ１０２やＨＤＤ１０４に格納される。格納された画像データに対しては、必要に応じてＲＡＭ１０２に格納されたアプリケーションプログラムで画像処理などが実行される。また、画像データは、出力される場合、デバイスＩ／Ｆ１０７を介してプリンタ１０９へ出力される。ネットワークＩ／Ｆ１１０は、ＬＡＮに接続し、ネットワーク上の外部機器の文書データ、画像データや画像形成装置を制御する情報との入出力を行う。ＵＳＢＩ／Ｆ１１２には、例えばフラッシュメモリカードなどの外部メモリが装着され、格納されているデータが読み出されてプリントされる。また、装着した外部メモリにスキャンしたデータを格納する。
【００１３】
図１に図示されていない構成であっても、本発明の効果が満たされるのであれば、含むことができる。例えば、ＦＡＸ機能を持つ画像形成装置の場合には、図１には図示していなモデム装置向けＩ／Ｆがコントローラユニット１００に具備されて、モデムによって公衆回線と接続して、ＦＡＸ伝送を可能としてもよい。
【００１４】
図２は、本実施例のシステム構成の一例を表す図である。
ＬＡＮ２００には、ＰＣ２２０、ＰＣ２１１、画像形成装置２０１、２０２、２０３が接続されている。ここでは、主として、画像形成装置２０１とＰＣ２２０について述べるが、画像形成装置２０２、２０３、ＰＣ２１１についても同様である。
画像形成装置２０１は、ＰＣ２２０、２１１からの文書データ、画像データをＬＡＮ２００経由で受信する。画像形成装置２０１は、受信したデータをプリンタ１０９で印刷（プリント機能）、ＨＤＤ１０４に保存（ボックス機能）を行う。また、画像形成装置２０１は、スキャナ１０８で原稿をスキャンし、文書データ、画像データを生成して、プリンタ１０９で印刷（コピー機能）、ＨＤＤ１０４へ保存（ボックス機能）、ＰＣ２２０へ送信（センド機能）する。
【００１５】
図３は、本発明における画像形成装置の機能ブロック図である。ここに示された各機能は画像形成装置のＣＰＵ１０１によって実行される。
画像形成装置３００（２０１）は機能３１０、３２０、３３０を有する。
操作表示機能３１０は、画像形成装置の操作部１０６に表示を行う。イメージ表示機能３１１は、画像生成装置に対する操作と成果物のイメージを１つ以上表示する。ここでの操作の一例としては、原稿の置き方や印刷用紙の置き方が挙げられる。
設定機能３２０は、イメージ表示機能３１１で表示されたイメージが操作部１０６を介して選択されると、イメージが表す成果物を得るための設定を装置３００に対して行う。この機能により、ユーザは原稿の置き方などの印刷設定を１回の操作のみで行うことができる。
その他の機能３３０は、装置３００が持つ、その他の機能を表す。例えば、前述のコピー機能、ボックス機能などである。
【００１６】
図４は、画像形成装置３００におけるコピー機能の画面の一例である。
画面４００は操作部１０６の画面を表す。
エリア４１０は、現在のジョブ設定値を表示する場所である。図４の例では、カラー設定が白黒、倍率が１００％、用紙選択は自動、部数が１、であることを表している。
エリア４２０は、イメージ表示機能３１１により実行される成果物イメージを表示する場所である。成果物イメージ４２３、４２４、４２５、４２６のうち１つが押下されると、そのイメージに表現されている成果物を生成するために必要なジョブ設定が行われる。イメージが押下されると、選択されていることを示すためにそのイメージの色を変化させてもよい。選択されたイメージに表現されている原稿の置き方にしたがって原稿が置かれ、スタートキーが押下されると、イメージに表現されている成果物を得ることができる。エリア４２０の詳細は図５、図１２で後述する。
キー４２１は、エリア４２０に表示されているイメージを左に移動させるものである。同様に、キー４２２は、右に移動させるものである。なお、キー４２１、４２２の他に、フリック操作によっても、表示するイメージの移動を行うようにしてもよい。
ボタン４３０は、本画面からコピー機能のジョブ設定を行う画面へと遷移させる際に押下される。
【００１７】
図５は、図４のエリア４２０の詳細の一例である。また後述する図９のエリア９１０の詳細の一例でもある。
エリア５００は図４のエリア４２０と同等である。同様にキー５４０、５４１は図４のキー４２１、４２２と同等である。ジョブイメージ５１０、５２０、５３０も図４のイメージ４２３、４２４、４２５と同等である。
【００１８】
ジョブイメージ５１０は、原稿に関する原稿イメージ５１１と成果物に関する成果物イメージ５１２を含む。
原稿イメージ５１１は、原稿の様態とＡＤＦ（Auto Document Feeder）への置き方のイメージを表す。この例では、原稿の置き方として、コピーしたい面を上に向けて、ページ順は降順で、ＡＤＦにセットすることを示している。さらに、原稿の様態として、横長の原稿であり、各原稿は片面であることを示している。
また、成果物イメージ５１２は、ジョブイメージ５１０が持つジョブ設定によって得られる成果物をイメージとして表している。この例では、成果物の様態は、製本割り付けを左開きに行い、表紙はつかない。とじ方はダブルのステイプリングとなる。また、ページ集約とページ印字も設定される。ページ集約の割り付け方は２ｉｎ１で、横長原稿を上から順に並べる。ページ印字の位置はページの下中央となる。
【００１９】
同様に、原稿イメージ５２１は、原稿の様態として、両面の横長原稿であり、原稿の置き方として、１ページ目を上にした降順のページ順で、ＡＤＦにセットすることを示している。成果物イメージ５２２は、成果物イメージ５１２が示す成果物の様態と同様であることを表している。なお、成果物イメージ５１２と５２２には同じイメージが表示されているため、同じ様態の成果物が得られることが分かる。
【００２０】
ユーザは、原稿が横長の片面の場合はジョブイメージ５１０を選択する。そして、原稿イメージ５１１で示されているようにＡＤＦに原稿をセットする。また、原稿が両面の場合はジョブイメージ５２０を選択する。そして、原稿イメージ５２１で示されているようにＡＤＦに原稿をセットする。そうすると、成果物イメージ５１２（５２２）に示される様態の成果物が得られることが分かる。
同様に、原稿イメージ５３１、成果物イメージ５３２も、それぞれ原稿の様態とＡＤＦへの置き方、成果物の様態を、イメージとして表している。このように、ユーザは画面上に表示されたジョブイメージ５１０、５２０、５３０の中の１つを選択することにより、所望のジョブ設定を簡便に選択することができる。
【００２１】
図６は、図４のボタン４３０が押下された時に表示される画面の一例である。
画面６００は操作部１０６の画面を表す。
ボタン６１０〜６２１が押下されると、各ボタンに対応するコピー機能の各種のジョブ設定がセットされる、もしくは各種のジョブ設定画面が表示される。
両面ボタン６１０は両面設定であり、押下されると両面設定画面（不図示）が表示される。両面設定には、両面コピーの種類、原稿と成果物の開き方、などの設定が必要となる。両面コピーの種類には、原稿片面→成果物両面、原稿両面→成果物両面、原稿両面→成果物片面、原稿見開き→成果物両面、などがある。開き方の設定は両面コピーの種類に依存する。例えば、原稿片面→成果物両面の場合は、原稿の左右開き／上下開きと、成果物の左右開き／上下開きの、２つの組み合わせによる設定となる。その他の両面コピーの種類における開き方の設定の説明は、ここでは割愛する。
連続読み込みボタン６１５が押下されると、連続読み込みの設定がなされる。この場合は新たに設定画面を表示することはせず、トグルで連続読み込みの設定がＯＮ／ＯＦＦされる。ここで、図５のジョブイメージ５２０を生成するために必要なジョブ設定を、画面６００から行う場合について説明する。ジョブイメージ５２０のジョブ設定は、以下のものが必要になる
【００２２】
（１）製本設定
・製本割り付け：      ＯＮ
・両面原稿：          上下開き
・折り＋中とじ：      ＯＮ
・表紙：              ＯＦＦ
・開き方：            左開き
（２）ページ集約
・割り付けるページ数：２ｉｎ１
・割り付け方向：      用紙を横に向けた状態で左から
（３）ページ印字
・印字種類：          数字
・印字位置：          下中央
・原稿の向き：        縦
・印字開始数字：      １
【００２３】
これらを設定するためには、まず、製本ボタン６１３を押下し、製本設定画面（不図示）を表示させる。その後、上記（１）の製本設定を行う必要がある。そして、ページ集約ボタン６１２を押下し、ページ集約設定画面（不図示）を表示させ、（２）の設定を行う必要がある。さらに、ページ印字ボタン６１４を押下し、ページ印字設定画面（不図示）を表示させ、（３）の設定を行う必要がある。
【００２４】
このように、所望の成果物を得るためのジョブ設定を個別に行うことは、同じ成果物イメージを画面上で選択する操作に比べて、はるかに多い操作が必要となる。その他のボタン６１１、ボタン６１６〜６２１、ボタン６３０〜６３１、ボタン６４０については説明を割愛する。
【００２５】
図７は、画像形成装置に搭載されたコピー機能での処理の一例を表すフローチャートである。この処理は画像形成装置のＣＰＵ１０１によって実行される。
まず、コピー機能が選択されると、本処理が開始する。
Ｓ７０１ではコピーの画面を表示する。ここで表示される画面は画面４００である。
そして、Ｓ７０２でユーザによる画面操作を待つ。
この状態で、スタートキーが押下されると、Ｓ７１０へ進み、コピージョブが開始する。
エリア４２０に表示されるいずれかのイメージが選択されると、Ｓ７２０へ進み、コピー機能のジョブイメージの持つジョブ設定が設定される。
その他の機能が選択されると、Ｓ７３０でその指示に従った処理が行われる。
操作終了指示が入力されると、Ｓ７４０へ進み、コピー機能の終了処理を行う。そして、本処理を終了する。
Ｓ７１０、７２０、７３０が終了すると、再度Ｓ７０２へ戻り、ユーザによる画面操作を待つ。
【００２６】
図８は、プリセットボタンを配置した画面の一例である。以降、プリセットボタンの表示、追加、削除、実行を行う機能をカスタムメニュー機能と呼ぶ。
画面８００は操作部１０６の画面を表す。
プリセットボタン８１０、８１１は、それぞれ、ユーザによって作成されたジョブ設定を持つボタンである。これらのボタンが押下されると、各ボタンが持つジョブ設定が設定され、各機能の画面へ遷移する。
プリセットボタン８１０は、コピーの製本設定およびページ集約のジョブ設定を持つ。プリセットボタン８１１はセンドの両面スキャン設定を持つ。
キー８３０、８３２は、画面８００のページを左右に移動させる。バー８３１は現在のページの位置を表す。
設定選択ボタン８２０が押下されると、新規のプリセットボタンを作成するために、設定選択画面へ遷移する。
【００２７】
図９は、図８の設定選択ボタン８２０が押下されたときに遷移する設定選択画面の一例である。
画面９００は操作部１０６の画面を表す。エリア９１０は、ジョブイメージ９１１〜９１３が列挙される場所であり、図４のエリア４２０と同等である。例えばジョブイメージ９１２が選択されると、画面８００に遷移する。そして、ジョブイメージ９１２が持つジョブ設定を持つボタンが新規に作成され、ユーザの指示にしたがって配置される。エリア９１０の詳細は、図５についての説明に加えて、後述の図１２についての説明においても述べる。
【００２８】
図１０は、画像形成装置に搭載されたカスタムメニュー機能での処理の一例を表すフローチャートである。この処理も画像形成装置のＣＰＵ１０１によって実行される。
カスタムメニュー機能が開始されると、Ｓ１００１で、画面にカスタムメニュー機能の画面８００が表示される。
そして、Ｓ１００２でユーザからの入力を待つ。
ここで、設定選択ボタン８２０が押下されると、Ｓ１０２０で、カスタムメニュー機能の設定選択処理１０２０が開始する。この処理については、図１１で後述する。
プリセットボタン８１０、８１１が押下されると、Ｓ１０３０で、押下されたプリセットボタンが持つジョブ設定にしたがい、ジョブが実行される。例えばプリセットボタン８１０が押下されると、プリセットボタン８１０が持つ製本設定およびページ集約の設定がコピー機能のジョブ設定として反映される。
Ｓ１０４０で、カスタムメニュー機能は終了し、プリセットボタンにて指示された機能へ画面を遷移させる。
ユーザによって終了処理を指示された場合も、Ｓ１０４０で、終了処理を実行し、指示された機能の画面へ遷移して、処理を終了する。
その他の処理が選択された場合は、Ｓ１０１０で、その他の処理を実行する。
Ｓ１０１０、Ｓ１０２０の実行後は、再度、Ｓ１００２へ戻り、ユーザからの入力を待つ。
【００２９】
図１１は、図１０のＳ１０２０における設定選択処理の一例の詳細である。
まず、Ｓ１１０１で図９の設定選択画面９００を表示する。
そして、Ｓ１１０２でユーザの入力を待つ。
エリア９１０に表示されているジョブイメージ９１１、９１２、９１３のいずれかが選択されると、Ｓ１１２０へ進む。
Ｓ１１２０では、選択されたアイコンの設定をカスタムメニューのボタンとして生成して、画面８００の指定の位置に配置する。図９の例では、ユーザによってジョブイメージ９１２が押下されると、ジョブイメージ９１２が持つ設定情報がカスタムメニューのボタンとして新たに生成され、画面８００の指定の位置に生成される。
その後、Ｓ１１３０で終了処理を行い、本画面を閉じ、画面８００へ戻る。
Ｓ１１０２でユーザによって戻るボタン９３０を押下されたときも、同様に、Ｓ１１３０で終了処理を実行し、本画面を閉じて画面８００へ戻る。
Ｓ１１０２でユーザによってその他の処理が指示された場合は、Ｓ１１１０でその他の処理を行い、再度、Ｓ１１０２へ戻る。
【００３０】
図１２は、図４のエリア４２０、図９のエリア９１０の詳細の一例である。ここでは、印刷用紙の置き方も表されている。
エリア１２００は図４のエリア４２０と同等である。同様に、キー１２４０、１２４１は図４のキー４２１、４２２と同等である。ジョブイメージ１２１０、１２２０、１２３０は図４のイメージ４２３、４２４、４２５と同等であり、はがきの印刷についての設定を表している。
【００３１】
ジョブイメージ１２１０の一部である原稿イメージ１２１１は、原稿の様態とＡＤＦへの置き方を表している。この例では、原稿の様態として、宛名が記載されたはがきであること、原稿は片面であること、を示している。また、原稿の置き方としては、天を右にしてセットすること、コピーしたい面を上に向けてセットすること、を示している。
用紙イメージ１２１２は、印刷用紙の置き方を示している。この例では、はがきの宛名面を上にして、手差しトレイへ、天を左に、設置することを示している。
成果物イメージ１２１３は、ジョブイメージが持つジョブ設定によって得られる成果物のイメージを表している。この例では、原稿イメージ１２１１のようにはがき原稿をＡＤＦにセットし、用紙イメージ１２１２のようにはがきを手差しにセットすると、宛名面が成果物イメージ１２１３のように印刷されることを示している。
【００３２】
同様に、ジョブイメージ１２２０の一部である原稿イメージ１２２１は、はがきの通信面の原稿を、天を右にして、コピーしたい面を上に向けて、ＡＤＦにセットすることを示している。また、原稿は片面であることも示している。
用紙イメージ１２２２は、用紙イメージ１２１３と同様に、印刷用紙の手差しトレイへの置き方を示している。この例では、はがきの通信面を上（宛名面を下）にして、天を左に、手差しトレイへ設置することを示している。
成果物イメージ１２２３は、成果物イメージ１２１３と同様に、ジョブイメージが持つジョブ設定によって得られる成果物のイメージを表している。この例では、原稿イメージ１２２１のようにＡＤＦにはがき原稿をセットし、用紙イメージ１２２２のようにはがきを手差しにセットすると、成果物イメージ１２２３のように通信面が印刷されることを示している。
ジョブイメージ１２３０の一部である原稿イメージ１２３１、用紙イメージ１２３２、成果物イメージ１２３３も、同様に、原稿の様態とＡＤＦへの置き方、用紙の置き方、成果物のイメージ、をそれぞれ表している。
【００３３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００３４】
３００          画像形成装置
５１０、５２０、５３０、１２１０、１２２０、１２３０  ジョブイメージ
５１１、５２１、５３１、１２１１、１２２１、１２３１  原稿イメージ
５１２、５２２、５３２、１２１２、１２２２、１２３２  成果物イメージ
【図１】
2019114918.tif 000003
【図２】
2019114918.tif 000004
【図３】
2019114918.tif 000005
【図４】
2019114918.tif 000006
【図５】
2019114918.tif 000007
【図６】
2019114918.tif 000008
【図７】
2019114918.tif 000009
【図８】
2019114918.tif 000010
【図９】
2019114918.tif 000011
【図１０】
2019114918.tif 000012
【図１１】
2019114918.tif 000013
【図１２】
2019114918.tif 000014